(57)【要約】      （修正有）【課題】繰り返し操作し使用するのに適し、軽量で簡易な構造で、衝撃にも強い綴じ装置を安価で提供する。【解決手段】長手方向に沿った略中央部位で断面コ字状に二折りされたプラスチック製のベース部材を有し、そのベース部材の一方側には適宜間隔をもって複数の筒状受孔を形成し、その受孔の開口にはロック部材の挿入部が形成され、孔内の下方に相対向するストッパ部を形成するとともに、ベース部材の他方側には前記受孔の開口と対応し、開口縁をテーパ状としたロック部材の挿し込み孔を形成し、かつ、前記ロック部材はプラスチックで形成され脚部の先端外面の対称位置に前記ストッパ部と係合するロック部を一体に備える。【選択図】図１４
0003125089.tif 000002
【実用新案登録請求の範囲】
【請求項１】
長手方向に沿った略中央部位で断面コ字状に二折りされたプラスチック製のベース部材を有し、そのベース部材の一方側には適宜間隔をもって複数の筒状受孔を形成し、その受孔の開口にはロック部材の挿入部が形成され、孔内の下方に相対向するストッパ部を形成するとともに、ベース部材の他方側には前記受孔の開口と対応し、開口縁をテーパ状としたロック部材の挿し込み孔を形成し、かつ、前記ロック部材はプラスチックで形成され脚部の先端外面の対称位置に前記ストッパ部と係合するロック部を一体に備えていることを特徴とする綴じ装置。
【請求項２】
前記したロック部材によるロック作用は反時計回りで実行され、時計回りで解放されることを特徴とする請求項１に記載の綴じ装置。
【請求項３】
重合して綴られる対象物に連通する透孔を穿設し、その連通する透孔の一方側に対称的にストッパ部を形成した受部材と、その受部材に対して挿入され反時計回りで係合されるロック部を脚部の先端外面の対称位置に一体に備えたロック部材とから成ることを特徴とする綴じ装置。
【請求項４】
前記した受部材には撓み逃げ用の溝を対称的に形成してあることを特徴とする請求項３に記載の綴じ装置。
【請求項５】
前記したロック部材の回転は４５°乃至９０°であることを特徴とする請求項１、請求項２、請求項３または請求項４に記載の綴じ装置。
【考案の詳細な説明】
【技術分野】
【０００１】
本考案は綴じ装置、特にファミリーレストラン等におけるメニューを表裏の表紙からなるホルダーに対し綴じ込むために使用して至便な綴じ装置に関する。
【背景技術】
【０００２】
従来よりファミリーレストラン等にあって提供される飲食物は和食、洋食、中華のほかアルコールドリンク、ソフトドリンク、デザート等々多様なものとなっており、多くの場合、それらのメニューは独立したファイルとして表裏の表紙からなるホルダーに綴り込まれて客に提示される。また、メニューの内容も季節、地域あるいは特別のサービス品や時間帯に応じても細かく変更され、そのメニュー用紙の差し替えも頻繁に行なわれることとなる。
【０００３】
また、従前は、前記したメニューの綴じ具として金属製のものが多く、これは店員が席まで運ぶにも重量があって負担となるうえ、何らかに当たると不快な音を出してしまうため、店内環境としても好ましいものではなかった。加えて、ホルダーへの綴じ具自体の装着固定や、綴じ具の製造にも多くの工程を要することとなり、コストダウンにも大きな負担となっていた。
【特許文献１】出願人において、先行する技術を調査したが、格別に関連すると思われる文献を発見することはできなかった。
【考案の開示】
【考案が解決しようとする課題】
【０００４】
本考案が解決しようとする課題は、従来、繰り返し操作し使用するのに適し、軽量で簡易な構造とされ、衝撃にも強い綴じ装置が存在していなかったという点であり、製造、組み合わせての商品化について、大量生産に適しており、安価で提供することができる綴じ装置がなかったという点である。
【課題を解決するための手段】
【０００５】
上記した問題点を解決するために、本考案に係る綴じ装置は長手方向に沿った略中央部位で断面コ字状に二折りされたプラスチック製のベース部材を有し、そのベース部材の一方側には適宜間隔をもって複数の筒状受孔を形成し、その受孔の開口にはロック部材の挿入部が形成され、孔内の下方に相対向するストッパ部を形成するとともに、ベース部材の他方側には前記受孔の開口と対応し、開口縁をテーパ状としたロック部材の挿し込み孔を形成し、かつ、前記ロック部材はプラスチックで形成され脚部の先端外面の対称位置に前記ストッパ部と係合するロック部を一体に備えていることを特徴とし、前記したロック部材によるロック作用は反時計回りで実行され、時計回りで解放されることを特徴としている。
【０００６】
また、本考案に係る綴じ装置は重合して綴られる対象物に連通する透孔を穿設し、その連通する透孔の一方側に対称的にストッパ部を形成した受部材と、その受部材に対して挿入され反時計回りで係合されるロック部を脚部の先端外面の対称位置に一体に備えたロック部材とから成ることを特徴とし、前記した受部材には撓み逃げ用の溝を対称的に形成してあることを特徴とし、前記したロック部材の回転は４５°乃至９０°であることを特徴としている。
【考案の効果】
【０００７】
本考案に係る綴じ装置は上記のように構成されている。そのため、軽量となり、操作もロック部材を４５°〜９０°回転させることでワンタッチとなり、手間もかからず、操作時間も非常に短くなり、繰り返して使用しても損傷することもない。また、通常のネジと逆方向への操作となるため、客のイタズラ等で外されてしまう虞もなく、加えて、プラスチックで成形するため、各パーツが射出成形等の大量生産に適し、極めて安価で得ることができ、衝撃にも強いものとなっている。さらには、プラスチックのため、好みの着色も可能で用途に応じてその色彩を使い分けることも可能となり、一見しての区別もつけ易くすることもできる。
【考案を実施するための最良の形態】
【０００８】
図面として示す実施例のように構成することで実現した。
【実施例１】
【０００９】
次に、本考案の好ましい第一実施例を図１乃至図１５を参照して説明する。図１は本考案に係る綴じ装置の使用状態を示す斜視図である。図２はベース部材の平面図、図３は同じく側面図、図４は同じく図２中のＡ−Ａ線に沿った拡大平面図、図５は同じく端面図、図６は同じく底面図、図７は同じく図２中のＢ−Ｂ線に沿った拡大平面図、図８は同じく端面図、図９は同じく底面図、図１０は同じくロック部材の正面図、図１１は同じく平面図、図１２は同じく底面図、図１３は同じく側面図、図１４は同じくロック部材の挿入を示す図、図１５は同じくロック状態を示す図である。
【００１０】
これらの図にあって１はプラスチック、特に抗菌剤入りのポリプロピレンで成形されたベース部材を示している。このベース部材１はその長手方向に沿った中央部位に複数の山形溝を列設した折り部２が形成され、この折り部２によって断面コ字状に二折りされて使用状態とされる。また、折り部２を構成する山形溝は後述する受孔の形成側を深くし、徐々にその深さを浅くしてあるもので、その山形溝を外側としての二折り構成時に、その溝の深さを変えた構成によって折り易さと戻りの防止を図ったものとされている。
【００１１】
折り部２によって二折りされるベース部材１の一方側１ａには適宜間隔をもって、筒状とした受孔３、３‥が複数、本実施例の場合には四個が一体的に形成されている。この受孔３の上面開口（図としては底面図として表われる）には後述するロック部材を挿通させるため、内面中央を弧状に切り欠いたスリット孔３ａが形成されている。このスリット３ａを形成する内壁面は受孔３の内部で下方開口近くまで形成されるが、その下方開口近くで途切れ、段差３ｂ、３ｂを構成して後述するロック部材のロック部と掛かり、ロック状態としてのロック部材の抜け、脱落を防止するものとされている。
【００１２】
また、前記した段差３ｂ、３ｂの一部には点対称位置にストッパ部４、４が形成され、一定方向、即ち、本実施例にあっては後述するロック部材の反時計方向への回転を９０°許容して前記したロック状態を形成し、時計回りとすることで、このロックが解放される構成としている。係る構成としていることで、ロック状態から通例のネジの解放方向である反時計回りの回動力をロック部材に与えてもストッパ部４、４が作用してその動きを制することとなる。そのため、ファミリーレストラン等のメニュー用として使用した場合、客のイタズラ等で外されてしまう虞が少ないものとなっている。
【００１３】
なお、この受孔３、３‥が形成されているベース部材１の一方側１ａがやはり抗菌剤入りのポリプロピレンで成形された表裏からなる表紙に、超音波溶着によって装着固定される。そのため、製品全体が衛生的であり、かつ、製作が容易でスピーディになされるため、価格も安価なものとして提供することができることとなる。
【００１４】
また、ベース部材１の他方側１ｂには、前記した受孔３、３‥と対応する位置に、その受孔３、３‥と連通する透孔５、５‥が穿設されている。この透孔５、５‥の開口縁は後述するロック部材の頭部を密に受けるよう、テーパ面５ａとされ、その周囲は、ロック部材の頭部が嵌まって出来る限り面一状態とできるよう略リング状のリブ５ｂが形成されている。更には、この他方側１ｂの外縁は図示しない表紙との関係で遊端側となるため、客や店員の指先がなるべくロック部材の頭部との接触を避けることができるよう、また、表紙の表側を好適に浮かし状態とできるように立壁１ｃを一体的に形成したものとされている。
【００１５】
一方、図１０乃至図１３として示すのはロック部材６で、このロック部材６は耐衝撃性に優れたポリカーボネートによって一体成形されている。このロック部材６は頭部７とその頭部７の下面中央に一体に延設された脚部８とより構成されている。この頭部７は断面を略菱形とした円板状のものとなっており、その下面は前記した透孔５のテーパ面５ａと密接するテーパ面とされており、上面には例えばマイナスドライバの先端が嵌入される回転操作用の操作溝７ａが形成されている。
【００１６】
また、脚部８の下端外側面には対称的に一対の翼状をしたロック部９、９が一体に突出形成されている。この脚部８を前記した透孔５を通し、受孔３のスリット３ａへ嵌入させ、操作溝７ａを介して９０°反時計回りに回動させてやると、ロック部９、９が段部３ｂ、３ｂと掛かり、ロック状態となる。その際ロック部９、９はストッパ部４、４とも係合してそれ以上の回動を制御することとなるのである。
【００１７】
次に、本考案の第二実施例を図１６乃至図２６を参照して説明する。図１６は第二実施例に係る綴じ装置の使用状態を示す図、図１７は同じくロック部材の正面図、図１８は同じく平面図、図１９は同じく底面図、図２０は同じく側面図、図２１は同じく受部材の平面図、図２２は同じく図２１中のＡ−Ａ’線に沿った端面図、図２３は同じくＢ−Ｂ’線に沿った端面図、図２４は同じくＣ−Ｃ’線に沿った端面図、図２５は同じくＤ−Ｄ’線に沿った端面図、図２６は同じくメニュー印刷紙に実施した状態を示す斜視図である。
【００１８】
これらの図にあって１０は綴じ装置本体を示しており、この綴じ装置本体１０はロック部材１１とそのロック部材１１を受ける受部材１２とより構成され、例えばメニュー印刷紙Ｍの一部に連通するパンチ孔等を穿設し、パウチＰを綴じ込む場合等に用いられ、全体としてスナップボタン様に構成されたものとなっている。
【００１９】
ロック部材１１は頭部１３とその頭部１３の下面中央に一体的に垂設された脚部１４とより構成されているもので頭部１３の表面はなだらかな球弧面とされ、その中央に例えばマイナスドライバの先端が嵌入される回動操作用の操作溝１５が形成されている。
【００２０】
一方、脚部１４は略楕円柱状のものとされ、その下端の長手方向に沿った外側面には翼状とした一対のロック部１６、１６が対称的に、かつ、一体的に形成され、このロック部１６、１６間の寸法は一般的なパンチ孔６ｍｍに対応させる綴じ装置本体１０の場合４ｍｍが想定されているもので、その突出方向は前記した操作溝１５と沿うものとされている。
【００２１】
また、受部材１２は前記したロック部材１１の頭部１３と対称的な形状をしており、中央部位に前記したロック部材１１の脚部１４及びロック部１６、１６が嵌入される貫通した受孔１７が形成されており、この受孔１７はスリット状として中央を弧状に切り欠いた形状となっている。
【００２２】
この受孔１７に前記したロック部材１１の脚部１４がロック部１６、１６と共に嵌入され、操作溝１５を回動操作することでロック部材１１が４５°回動した個所はロック部１６、１６間の寸法である４ｍｍより２ｍｍ狭い３．８ｍｍとしてあり、この個所で回転は抵抗を受けてきつくなり、このきつくすることで戻り防止となり、ロック部材１１がロックされる。また、このきつくなることを和らげるため、二箇所に略１ｍｍ程の幅とした撓み逃げ溝１８、１８を設け、ロック部材１１を容易に９０°回動させることができる。即ち、ロック作動時、あるいは開放作動時には前記したきつくなる部分において、クリック感も得ることができるものともなっている。
【００２３】
さらに、ロック部材１１を９０°回動させると、脚部１４のロック部１６、１６は段部１９、１９と掛かることとなり、抜けは防止され、かつ、ロック部材１１自体には何の圧迫もないフリー状態となっているため、綴り込み状態は自然には外れることはないものとなっている。
【００２４】
そして、受部材１２にはロック部材１１の回動がきつくなる部分に対応して点対称位置にストッパ部２０、２０が形成されているもので、このストッパ部２０、２０でロック部１６、１６を掛止させ、異なった方向へのロック部材１１の回動を制御している。尚、この第二実施例の場合もロック部材１１は反時計方向へ回動でロックされ、時計方向への回動でロックが解放されることとなり、客のイタズラ等で外されることがないように図っている。
【産業上の利用可能性】
【００２５】
本考案に係る綴じ装置は上述のように構成される。第一実施例、第二実施例ともに、使用用途としてファミリーレストランのメニューを例としているが、これにこだわるものではなく、一般的に事務用品、文具等、紙葉類、パウチ類等を綴り込むために、幅広く応用実施することができ、例えばベース部材の表面にロゴやメッセージ等を入れることでデザインを多様化させたり、宣伝、広告の媒体として利用することも可能となる。加えて、寸法設計を変更することで綴られる紙葉数の厚さや枚数を自在に設定することもできる。
【図面の簡単な説明】
【００２６】
【図１】本考案に係る綴じ装置の使用状態を示す斜視図である。
【図２】ベース部材の平面図である。
【図３】側面図である。
【図４】図２中のＡ−Ａ線に沿った拡大平面図である。
【図５】端面図である。
【図６】底面図である。
【図７】図２中のＢ−Ｂ線に沿った拡大平面図である。
【図８】端面図である。
【図９】底面図である。
【図１０】ロック部材の正面図である。
【図１１】平面図である。
【図１２】底面図である。
【図１３】側面図である。
【図１４】ロック部材の挿入を示す図である。
【図１５】ロック状態を示す図である。
【図１６】第二実施例に係る綴じ装置の使用状態を示す図である。
【図１７】ロック部材の正面図である。
【図１８】平面図である。
【図１９】底面図である。
【図２０】側面図である。
【図２１】受部材の平面図である。
【図２２】図２１中のＡ−Ａ’線に沿った端面図である。
【図２３】Ｂ−Ｂ’線に沿った端面図である。
【図２４】Ｃ−Ｃ’線に沿った端面図である。
【図２５】Ｄ−Ｄ’線に沿った端面図である。
【図２６】メニュー印刷紙に実施した状態を示す斜視図である。
【符号の説明】
【００２７】
１    ベース部材
１ａ  一方側
１ｂ  他方側
１ｃ  立壁
３    受孔
３ａ  スリット孔
３ｂ  段差
４    ストッパ部
５    透孔
５ａ  テーパ面
５ｂ  リブ
６    ロック部材
７    頭部
７ａ  操作溝
８    脚部
９    ロック部
１０  綴じ装置本体
１１  ロック部材
１２  受部材
１３  頭部
１４  脚部
１５  操作溝
１６  ロック部
１７  受孔
１８  撓み逃げ溝
１９  段部
２０  ストッパ部
Ｍ    メニュー印刷紙
Ｐ    パウチ
【図１】
0003125089.tif 000003
【図２】
0003125089.tif 000004
【図３】
0003125089.tif 000005
【図４】
0003125089.tif 000006
【図５】
0003125089.tif 000007
【図６】
0003125089.tif 000008
【図７】
0003125089.tif 000009
【図８】
0003125089.tif 000010
【図９】
0003125089.tif 000011
【図１０】
0003125089.tif 000012
【図１１】
0003125089.tif 000013
【図１２】
0003125089.tif 000014
【図１３】
0003125089.tif 000015
【図１４】
0003125089.tif 000016
【図１５】
0003125089.tif 000017
【図１６】
0003125089.tif 000018
【図１７】
0003125089.tif 000019
【図１８】
0003125089.tif 000020
【図１９】
0003125089.tif 000021
【図２０】
0003125089.tif 000022
【図２１】
0003125089.tif 000023
【図２２】
0003125089.tif 000024
【図２３】
0003125089.tif 000025
【図２４】
0003125089.tif 000026
【図２５】
0003125089.tif 000027
【図２６】
0003125089.tif 000028